(57)【特許請求の範囲】
【請求項１】
正面に通孔を形成し背面の内側に凹部を形成して該凹部内面の上下及び左右の４箇所並びに底面に固定接点を配置した箱形のケースと、中間部に該ケースの内法寸法にほぼ等しい外法寸法を有する四角形の鍔部を設け一端に可動接点を設けたレバーと、底部を円錐台形に形成しその中心部に前記レバーが前後方向に摺動可能に貫通する通孔を設けたホルダーを備え、前記レバーの鍔部を前記ケースに上下方向と左右方向へ傾動可能かつ前後方向へ摺動可能に嵌合し、前記レバーの他端を前記ケース正面の通孔から外側へ突出させ、かつ前記レバーを第１スプリングで前記鍔部が前記ケースの正面内側に圧接して前記可動接点が前記５箇所の固定接点のいずれにも接触しない中立位置へと付勢し、前記ホルダーの通孔に前記レバーを貫通して該ホルダーをレバーに装着し、第２スプリングで前記ホルダーを付勢して該ホルダーの底部を前記凹部の開口端縁に摺動可能に圧接し、前記レバーの前記中立位置からの上下方向と左右方向への傾動操作及び前後方向への押圧操作により前記可動接点を前記５箇所の固定接点のひとつに択一的に接触させることを特徴とするスイッチ装置。
【請求項２】
前記レバーにテーパ状のカム面を設け、前記レバーの押圧操作により前記可動接点を前記凹部底面の固定接点に接触させるとき前記カム面により押圧されて拡開する一対のアームを前記ホルダーに設けたことを特徴とする請求項１に記載のスイッチ装置。
【発明の詳細な説明】
【０００１】
【発明の属する技術分野】
本発明はスイッチ装置に関し、より詳しくはレバーの上下及び左右方向への傾動操作によって接点を切替えるスイッチ装置に関する。
【０００２】
【従来の技術】
この種のスイッチ装置は、例えば車両の走行位置を表示するカーナビゲーションシステムにおいて、ディスプレイの画面に表示される地図画像を上下及び左右にスクロールさせるための信号入力手段に用いられている。
【０００３】
【発明が解決しようとする課題】
この種のスイッチ装置によれば、レバーの上下及び左右の傾動操作により４種類の接点を切替えることができるが、カーナビゲーションシステムの機能の多様化に伴い、単一のレバーで５種類の接点を切替えることのできるスイッチ装置の出現が望まれている。
本発明はかかる要望に鑑み、単一のレバーで５種類の接点切替が可能であり、構造も簡単なスイッチ装置を提供することを目的とする。
【０００４】
【課題を解決するための手段】
請求項１に記載の発明に係るスイッチ装置は、正面に通孔を形成し背面の内側に凹部を形成して該凹部内面の上下及び左右の４箇所並びに底面に固定接点を配置した箱形のケースと、中間部に該ケースの内法寸法にほぼ等しい外法寸法を有する四角形の鍔部を設け一端に可動接点を設けたレバーと、底部を円錐台形に形成しその中心部に前記レバーが前後方向に摺動可能に貫通する通孔を設けたホルダーを備え、前記レバーの鍔部を前記ケースに上下方向と左右方向へ傾動可能かつ前後方向へ摺動可能に嵌合し、前記レバーの他端を前記ケース正面の通孔から外側へ突出させ、かつ前記レバーを第１スプリングで前記鍔部が前記ケースの正面内側に圧接して前記可動接点が前記５箇所の固定接点のいずれにも接触しない中立位置へと付勢し、前記ホルダーの通孔に前記レバーを貫通して該ホルダーをレバーに装着し、第２スプリングで前記ホルダーを付勢して該ホルダーの底部を前記凹部の開口端縁に摺動可能に圧接し、前記レバーの前記中立位置からの上下方向と左右方向への傾動操作及び前後方向への押圧操作により前記可動接点を前記５箇所の固定接点のひとつに択一的に接触させることを特徴とする。
請求項２に記載の発明は請求項１に記載のスイッチ装置において、前記レバーにテーパ状のカム面を設け、前記レバーの押圧操作により前記可動接点を前記凹部底面の固定接点に接触させるとき前記カム面により押圧されて拡開する一対のアームを前記ホルダーに設けたことを特徴とする。
【０００５】
【発明の作用・効果】
請求項１に記載の発明に係るスイッチ装置によれば、ケース正面から突出するレバーを中立位置から上下及び左右へ手動操作すると、四角形の鍔部の上下及び左右のいずれか一辺と前記箱形ケース内面の角隅の当接部を支点としてレバーが傾動し、レバー先端の可動接点が凹部内面の上下及び左右の４箇所に設けた固定接点のひとつに接触する。レバーの傾動に伴いレバーに装着したホルダーも底部を凹部の開口端縁に摺接させながらレバーと一体に傾動する。レバーから手を離すと、レバーは第１スプリングの力で中立位置へ復帰する。
レバーを押圧操作すると、レバーはホルダーの通孔中を摺動しながら前進し、レバー先端の可動接点が凹部底面の固定接点に接触する。レバーから手を離すとレバーは第１スプリングによって後退し中立位置に復帰する。ホルダーは第２スプリングで凹部の開口端縁に圧接しているので、レバーが押圧操作に伴って前後に動くとき、ホルダーにより上下叉は左右に振れることのないよう案内される。
しかして本発明によれば、単一のレバーの押圧操作と上下及び左右の傾動操作によって５種類の接点を切替えることができるので、スイッチ装置の機能が向上する。
請求項２に記載の発明によれば、レバーの押圧操作により可動接点が固定接点に接触するとき、カム面に押圧されてアームが拡開し、アームの拡開に伴いレバー押圧操作の負荷が増加するので、可動接点が固定接点に接触したことを手の感触で知覚できる。
【０００６】
【発明の実施の形態】
以下に本発明を図面に基づき説明するに、図１及び図２には本発明の一実施形態に係るスイッチ装置１０が示されている。
当該スイッチ装置１０は箱型のケース１１とレバー１２及びホルダー１３を備えている。箱型のケース１１の正面中央には通孔１１ａが形成され、ケース１１の背面側の開口にインシュレータ１４を嵌着してケースの背面を塞いでいる。このインシュレータ１４の内部側には凹部１４ａが形成されると共に５個の固定接点１５〜１９とリング状の端子２０がインサート成形により埋設されている。５個の固定接点１５〜１９のうち、固定接点１５〜１８の一端はそれぞれ凹部１４ａの内面の上下と左右の４箇所に露出し、他端１５ａ〜１８ａがインシュレータ１４の外面からケース１１の外側に突出している。固定接点１９の一端は凹部１４ａの底面に露出し、他端１９ａがインシュレータ１４の外面からケース１１の外側に突出している。リング状の端子２０はインシュレータ１４の内面に露出し、一体の折曲片２０ａがインシュレータ１４の外面からケース１１の外側に突出している。
【０００７】
レバー１２は図３に示すように、中間部に一体成形した四角形の鍔部１２ａと鍔部１２ａの裏面に隣接する円錐台形のカム１２ｂを有し、レバー１２の表面全体に銀鍍金を施して導電性を与えている。鍔部１２ａは箱型ケース１１に格納した状態で上下及び左右に所要の角度例えば５度ほど傾動可能で、かつ前後にも移動可能となるよう箱型ケース１１の内法寸法とほぼ等しい外法寸法に設定されている。
レバー１２は鍔部１２ａを箱型ケース１１に上下及び左右に傾動可能に嵌合し、一端を可動接点として凹部１４ａに遊挿して５箇所の固定接点１５〜１９に臨ませ、他端を箱型ケース１１の正面の通孔１１ａに遊挿してケース１１の外へ突出するように箱型ケース１１に組付けられている。また、レバー１２はインシュレータ１４と鍔部１２ａとの間に装着した第１スプリング２１により鍔部１２ａの全面が箱型ケース１１の正面内側に圧接する中立位置に付勢されている。鍔部１２ａが箱型ケース１１の正面内側に圧接する中立位置においてはレバー１２の先端は凹部１４ａ内の５箇所の固定接点１５〜１９のいずれとも接触しない。
第１スプリング２１はレバー１２と同じように導電性を与えるために銀鍍金を施され、一端がレバー１２の鍔部１２ａに圧接し、他端がリング状の端子２０に圧接している。
ホルダー１３は円錐台形の底部１３ａを有し、底部１３ａの中心にレバー１２が前後方向に摺動可能に貫通する通孔１３ｂが形成され、図４に示すように側面には通孔１３ｂを対称軸とする一対のアーム１３ｃが一体成形されている。ホルダー１３はその通孔１３ｂにレバー１２を貫通させることにより各アーム１３ｃの自由端がカム１２ｂの外周部のテーパ面に臨むようにレバー１２に装着されている。各アーム１３ｃはこのテーパ面で押圧したとき弾力的に拡開するように成形されている。レバー１２には第２スプリング２２が装着され、該第２スプリング２２でホルダー１３は円錐台形の底部１３ａが凹部１４ａの開口端縁に圧接するように付勢されている。
【０００８】
本実施形態に係るスイッチ装置１０の構造は以上の通りであって、図１に示すようにレバー１２が中立位置にあるとき、凹部１４ａに遊挿したレバー１２の内端は５箇所の固定接点１５〜１９のいずれとも接触していない。図１の中立位置からレバー１２の突出端を押し下げると、図５に示すようにレバー１２の内端側が鍔部１２ａの上辺と箱型ケース１１の角隅の当接部を支点にして上方へ傾動し、ホルダー１３は底部１３ａを凹部１４ａの開口端縁に摺接させながらレバー１２と一体に傾動し、レバー１２先端が固定接点１５に接触する。これにより固定接点１５とリング状の端子２０間が導電性鍍金を施したレバー１２と第１スプリング２１を介して導通する。同様にしてレバー１２の突出端側を上方または左右に傾動させることによりレバー１２の先端が固定接点１６〜１８のいずれか一つに接触して固定接点１６〜１８とリング状の端子２０間が導通する。レバー１２から手を離せば、レバー１２は第１スプリング２１の力で中立位置へ復帰する。
【０００９】
一方、中立位置から図６に示すようにレバー１２を押圧操作すると、レバー１２はホルダー１３の通孔１３ｂ中を摺動しながら前進し、レバー１２の先端が凹部１４ａの底面の固定接点１９に接触する。そのとき、レバー１２のカム１２ｂのテーパ面によってアーム１３ｃが拡開される。レバー１２から手を離すとレバー１２は第１スプリング２１によって後退し中立位置に復帰する。レバー１２が押圧操作に伴って前後に動くとき、ホルダー１３は第２スプリング２２で凹部１４ａの開口端縁に圧接しているので、レバー１２はホルダー１３によって、上下叉は左右に振れることのないように案内される。
以上説明したように本実施形態に係るスイッチ装置１０によれば、単一のレバー１２の押圧操作と上下及び左右の傾動操作によって５種類の接点１５〜１９を切替えることができる。
また、レバー１２の押圧操作によってレバー１２の先端が固定接点１９に接触するときカム１２ｂのテーパ面に押圧されてアーム１３ｃが拡開し、アーム１３ｃの拡開に伴いレバー１２操作の負荷が増加するので、レバー１２先端が固定接点１９に接触したことを手の感触で知覚できる。
【図面の簡単な説明】
【図１】  本発明の一実施形態に係るスイッチ装置を示す縦断断面図である。
【図２】  図１の２−２線から切断した横断断面図である。
【図３】  同スイッチ装置のレバーを示す斜視図である。
【図４】  同スイッチ装置のホルダーを示す斜視図である。
【図５】  同スイッチ装置の作動を説明する縦断断面図である。
【図６】  同スイッチ装置の作動を生命する縦断断面図である。
【符号の説明】
１０…スイッチ装置、１１…箱型ケース、１１ａ…通孔、１２…レバー、１２ａ…鍔部、１２ｂ…カム、１３…ホルダー、１３ａ…底部、１３ｂ…通孔、１３ｃ…アーム、１４…インシュレータ、１４ａ…凹部、１５〜１９…固定接点、２１…第１スプリング、２２…第２スプリング。
【図１】
0003751364.tif 000002
【図２】
0003751364.tif 000003
【図３】
0003751364.tif 000004
【図４】
0003751364.tif 000005
【図５】
0003751364.tif 000006
【図６】
0003751364.tif 000007